(57)【要約】誰でも容易に使用でき、それによって腰、骨盤及び腹筋を運動できる、腰の強度を高めるための椅子を開示する。本腰運動用椅子は、ユーザーのヒップを安定的に支持するための円形板及び前記円形板の下側から下方向に垂直に延長されるレセプタクルを有するシートと、前記シートの下側のレセプタクルに挿入された上端部を有し、前記シートに垂直重量がかかると圧力に対して一定の吸収力を有し、その長さが調整可能であるので前記シートの高さを調整できる円筒状接続部と、前記接続部の下側で係合された上側部を有し、垂直方向に延長される複数の脚部が設けられている支持部と、を含む。【選択図】図２
2009540871.tif 000002
【特許請求の範囲】
【請求項１】
腰運動用椅子であって、ユーザーのヒップを安定的に支持するための円形板（１１０）及び前記円形板（１１０）の下側から下方向に垂直に延長されるレセプタクル（１２０）を有するシート（１００）と、前記シート（１００）の下側のレセプタクル（１２０）に挿入された上端部を有し、前記シート（１００）に垂直重量がかかると圧力に対して一定の吸収力を有し、その長さが調整可能であるので前記シート（１００）の高さを調整できる円筒状接続部（３００）と、前記接続部（３００）の下側で係合された上側部を有し、垂直方向に延長される複数の脚部が設けられている支持部（４００）を含むことを特徴とする腰運動用椅子。
【請求項２】
請求項１の椅子において、当該円形板（１１０）が、腰と骨盤の回転過程でユーザーが保持するときにユーザーの身体を支持するための、特定の凹形に形成され両側に設置されるハンドル（１３０）及び（１４０）と、ユーザーが座るときにユーザーのヒップを加圧するための、前記ハンドル（１３０）及び（１４０）間に設けられ、それによって血液循環を促進する複数の加圧部分（１６０）と、ユーザーの陰嚢が位置決めされる部分に設けられる突出部（１７０）と、が含まれことを特徴とする椅子。
【請求項３】
請求項１の椅子において、前記レセプタクル（１２０）と前記接続部（３００）の上側とが特定の弾性復元力を有するスプリング（１２５）で接続されることを特徴とする椅子。
【請求項４】
請求項３の椅子において、当該スプリング（１２５）が、その上部が狭く、その下側が広くなるように形成されることを特徴とする椅子。
【発明の詳細な説明】
【技術分野】
【０００１】
本発明は椅子に関するものである。
【背景技術】
【０００２】
本発明は椅子に関するものであり、特に、それによって腰、骨盤及び腹筋を運動するため、誰でも容易に使用できる、腰の強度を高めるための椅子に関するものである。
【０００３】
一般に、椅子はユーザーが容易に座ることができるように設計される。 産業社会が発展するにつれて、椅子はその形式、用途、構造及び材質に基づいて多くのタイプに分類され得る。
【０００４】
先ず、椅子の形式では、スツール、椅子、アームチェア、長椅子、寝椅子、ロッキングチェアなどに分類され得る。
【０００５】
さまざまな文化が出現するにつれ、以前には単に床に座っていて、椅子に座ることに慣れていない人々が、少なくとも数時間椅子に座って過ごすようになっている。
【０００６】
図１は従来の椅子を図示する斜視図である。 前記従来の椅子は、背もたれ１０、前記背もたれ１０と接続されたシート２０と、上下調整レバー３０の動作に応じて前記シート２０の高さを調整するための前記シート２０の後センター部分に取り付けられる円筒状接続部４０と、前記接続部４０を支える脚部５０と、を含む。
【０００７】
上記従来の椅子では、ユーザーが長時間仕事をする際に椅子に長時間座ることになるが、前記椅子は前後方向や上下方向に動かないので、ユーザーの腰と腹部が太る可能性もある。
【０００８】
従って、ユーザーの腹部が太ると腰筋肉や腹筋の筋力も低下し、それによって椎間板症や腰部疾患を発症する。
【発明の開示】
【発明が解決しようとする課題】
【０００９】
よって、従来の技術で遭遇する問題を克服し、本発明出願者によって出願された実用新案番号第２０-２００６-０００７１０６号「腰運動用椅子」（出願日２００６年３月１６日）の問題点を改善し、腰筋肉、骨盤筋及び腹筋の強度を容易に高めることができる椅子を提供することが本発明の目的である。
【発明の効果】
【００１０】
上記のように、本発明によれば、ユーザーが休息時間中でさえも、腰、腹部及び骨盤部分を容易に運動することができるような方法で、ユーザーの腰と腹部における疼痛や脂肪増加問題を予防することによってユーザーの健康を向上することができる。
【００１１】
加えて、円形板には加圧部分と突出部が設けられているので、上記加圧部分と突出部によって血液循環と強度を高めることが可能である。
【発明を実施するための最良の形態】
【００１２】
上記目的を達成するため、ユーザーのヒップを安定的に支持するための円形板及び前記円形板の下側から下方向に垂直に延長されるレセプタクルを有するシートと、前記シートの下側のレセプタクルに挿入された上端部を有し、前記シートに垂直重量がかかると圧力に対して一定の吸収力を有し、その長さが調整可能であるので前記シートの高さを調整できる円筒状接続部と、前記接続部の下側で係合された上側部を有し、垂直方向に延長される複数の脚部が設けられている支持部と、を含む腰運動用椅子が提供される。
【００１３】
前記円形板には、腰と骨盤の回転過程でユーザーが保持するときにユーザーの身体を支持するための、特定の凹形に形成され両側に設置されるハンドルと、ユーザーが座るときにユーザーのヒップを加圧するための、前記ハンドル間に設けられ、それによって血液循環を促進する複数の加圧部分と、ユーザーの陰嚢が位置決めされる部分に設けられる突出部と、が含まれる。
【００１４】
前記レセプタクルと前記接続部の上側とは、特定の弾性復元力を有するスプリングで接続される。
【００１５】
前記スプリングは、その上部が狭く、その下側が広くなるように形成される。
【００１６】
以下、本発明の好適な実施形態を添付図面を参照して説明する。
【００１７】
図２は本発明の実施形態に係る椅子を図示する斜視図である。図３は本発明の実施形態に係る椅子を図示する断面図である。図４は本発明の実施形態に係るシートを図示する平面図である。図５は本発明の実施形態に係るシートの動作を図示する概念図である。
【００１８】
図２〜図４に示すように、本発明では、ユーザーのヒップを安定的に支持するための円形板１１０及び前記円形板１１０の下側から下方向に垂直に延長されるレセプタクル１２０を有するシート１００と、前記シート１００の下側のレセプタクル１２０に挿入された上端部を有し、前記シート１００に垂直重量がかかると圧力に対して一定の吸収力を有し、その長さが調整可能であるので前記シート１００の高さを調整できる円筒状接続部３００と、前記接続部３００の下側で係合された上側部を有し、垂直方向に延長される複数の脚部が設けられている支持部４００と、を含む腰運動用椅子が提供される。
【００１９】
前記円形板１１０には、腰と骨盤の回転過程でユーザーが保持するときにユーザーの身体を支持するための、特定の凹形に形成され両側に設置されるハンドル１３０及び１４０と、ユーザーが座るときにユーザーのヒップを加圧するための、前記ハンドル１３０及び１４０間に設けられ、それによって血液循環を促進する複数の加圧部分１６０と、ユーザーの陰嚢が位置決めされる部分に設けられる突出部１７０と、が含まれる。
【００２０】
この時点で、ユーザーは、その身体のバランスを保つため、前記円形板１１０を傾斜させながら、腰と骨盤の回転運動過程で前記ハンドル１３０及び１４０を保持する。
通常のアームレストの代わりに前記円形板１１０が設けられる理由は、ユーザーがその腕を伸ばして前記ハンドル１３０及び１４０を保持し、それによってユーザーはその背骨を曲げることなしに運動することができるので、正しい姿勢を得ることと、運動効果を高めることと、が可能となるからである。
【００２１】
前記円形板に形成された前記加圧部分１６０は加圧効果を提供して血液循環を促進し、前記突出部１７０はユーザーの陰嚢部分を刺激するために設けられ、それによってエネルギー効果を促進する。
【００２２】
この時点では、前記円形板１１０は、快適性を提供することを目的に設計されており、好ましくは、容易かつ一体的に形成かつ成形可能なウレタンフォーム材からなる。
【００２３】
本発明の好適な実施形態では、前記レセプタクル１２０と前記接続部３００の上側とは、好ましくは、特定の弾性力を有するスプリング１２５で接続される。
【００２４】
ここで、前記スプリング１２５は、その上側が狭く、その下側が広くなるように形成されるので、垂直方向の重量ならびに前記円形板１１０の傾斜に関する復元力を増加することが可能になっている。
【００２５】
以下、本発明に係る腰運動椅子の使用法を詳細に説明する。
【００２６】
前記本発明の椅子が通常の椅子として用いられる際は、前記椅子をそのまま直接使用することができる。
【００２７】
本発明の椅子が運動の目的に使用される際には、ユーザーのヒップと陰嚢は前記円形板１１０の加圧部分１６０と突出部１７０に位置決めされ、ユーザーは前記ハンドル１３０及び１４０を保持し、安定的にその身体を支えるように直立姿勢を維持する。
【００２８】
前記加圧部分１６０はユーザーのヒップを加圧して血液を循環させ、前記突出部１７０はユーザーの陰嚢を加圧してユーザーのエネルギー機能を促進させる。
【００２９】
上記の状態で、ユーザーがその腰と腹部を回転させると前記円形板１１０も左右に回転し、前記スプリングの動作による元位置への復帰機能のため、円滑な回転を得ることが可能になっている。
【００３０】
ユーザーが本発明に従って運動するときには、消化障害予防効果、骨盤矯正効果、高い関節症及びその関連疾患の予防効果及び生理痛の予防効果を得ることが可能である。
【００３１】
ユーザーの腰部分や骨盤部が前後方向に動かされる場合では、ユーザーは前記ハンドル１３０及び１４０は保持せずにその両手を頭上に置き、その腰と腹部が前後方向に約１５回動かされる。
【００３２】
従って、前記円形板１１０も前記レセプタクル１２０に設置されたスプリング１２５によって前後方向に動く。
【００３３】
上記動作は、ユーザーの前立腺の強化、エネルギー強度、腰痛予防、腹部脂肪予防、及び肩痛予防に役立つ。
【００３４】
ユーザーの腰と腹部が左右方向に動かされる際、ユーザーは前記ハンドル１３０及び１４０を保持せず、その両手をその頭上に置き、その腰と腹部が約１５回左右に動かされる。従って、前記円形板１１０も前記レセプタクル１２０に設置されたスプリング１２５により左右に動く。
【００３５】
上記の動作により、ユーザーはスリムな腰を得ることが可能であり、身体のバランスも正常化し、健康になる。
【図面の簡単な説明】
【００３６】
【図１】図１は従来の椅子を図示する斜視図である。
【図２】図２は本発明の実施形態に係る椅子を図示する斜視図である。
【図３】図３は本発明の実施形態に係る椅子を図示する断面図である。
【図４】図４は本発明の実施形態に係るシートを図示する平面図である。
【図５】図５は本発明の実施形態に係るシートの動作を図示する概念図である。
【符号の説明】
【００３７】
１００: シート
１１０: 円形板
１２０: レセプタクル
１２５: スプリング
１３０、１４０: ハンドル
１６０: 加圧部分
１７０: 突起部
２００: 上下調整レバー
３００: 接続部
４００: 支持部
【図１】
2009540871.tif 000003
【図２】
2009540871.tif 000004
【図３】
2009540871.tif 000005
【図４】
2009540871.tif 000006
【図５】
2009540871.tif 000007
【国際調査報告】
2009540871.tif 000008
2009540871.tif 000009